【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  自車位置を検出する自車位置検出手段と、
車両の燃料残量を検出する燃料残量検出手段からの燃料残量デ−タを取得する
燃料残量デ−タ取得手段と、
少なくとも燃料単価を含む燃料情報を入力させるための燃料情報入力手段と、
前記燃料残量デ−タ取得手段を介して提供される燃料残量デ−タに基づいて燃
料補給量を算出する燃料補給量算出手段と、
該燃料補給量算出手段により算出された燃料補給量と前記燃料情報入力手段を
介して入力された燃料単価とに基づいて燃料代金を演算する燃料代金演算手段と
、
前記燃料代金、前記燃料補給量、補給日時、及び前記自車位置から割り出され
た補給場所情報のうちの少なくとも１つを含むデ−タを記憶手段に記憶させる記
憶制御手段とを備えていることを特徴とする車両経費管理装置。
【請求項２】  車両の走行停止状態を検出する車両状態検出手段を備え、
前記燃料残量デ−タ取得手段が、
前記自車位置検出手段により前記自車位置が給油所にあると判定され、かつ前
記車両状態検出手段により車両の停止状態が検出された場合と、前記車両のイグ
ニションキ−の所定の操作又は前記車両状態検出手段により車両の走行状態が検
出された場合とに前記燃料残量検出手段から燃料残量デ−タを取得するものであ
ることを特徴とする請求項１記載の車両経費管理装置。
【請求項３】  前記車両の燃料供給口カバ−の開閉を検出するカバ−開閉検
出手段を備え、                                                          
前記燃料残量デ−タ取得手段が、
少なくとも前記カバ−開閉検出手段による前記燃料供給口カバ−の開検出時に
前記燃料残量検出手段から燃料残量デ−タを取得するものであることを特徴とす
る請求項１記載の車両経費管理装置。
【請求項４】  前記燃料情報入力手段を介して給油所毎の燃料情報の入力が
可能に構成され、
前記燃料情報入力手段を介して入力された前記給油所毎の燃料情報の中から、
車両が位置する給油所の燃料単価を読み出す第１の燃料情報読出手段を備え、
前記燃料代金演算手段が、前記燃料補給量算出手段により算出された前記燃料
補給量と前記第１の燃料情報読出手段により読み出された前記給油所の燃料単価
とに基づいて燃料代金を演算するものであることを特徴とする請求項１〜３のい
ずれかの項に記載の車両経費管理装置。
【請求項５】  前記燃料情報入力手段を介して燃料補給後に燃料情報の入力
が可能に構成され、
前記燃料代金演算手段が、前記燃料補給量算出手段により算出された前記燃料
補給量と前記燃料情報入力手段を介して燃料補給後に入力された燃料単価とに基
づいて燃料代金を演算するものであることを特徴とする請求項１〜３のいずれか
の項に記載の車両経費管理装置。
【請求項６】  外部から各給油所の燃料情報を取得する外部燃料情報取得手
段を備え、
該外部燃料情報取得手段を介して取得された各給油所の燃料情報の中から、車
両が位置する給油所の燃料単価を読み出す第２の燃料情報読出手段を備え、
前記燃料代金演算手段が、前記燃料補給量算出手段により算出された前記燃料
補給量と前記第２の燃料情報読出手段により読み出された前記給油所の燃料単価
とに基づいて燃料代金を演算するものであることを特徴とする請求項１〜３のい
ずれかの項に記載の車両経費管理装置。
【請求項７】  自車位置を検出する自車位置検出手段と、
該自車位置検出手段により自車位置が駐車場にあると判定された場合に該駐車
場の料金情報を取得する駐車料金情報取得手段と、
車両が駐車場に入ったと判定された時間と該駐車場から出たと判定された時間
とから駐車時間を算出する駐車時間算出手段と、
該駐車時間算出手段により算出された駐車時間と、前記駐車料金情報取得手段
を介して取得された前記駐車場の料金情報とに基づいて駐車代金を演算する駐車
代金演算手段と、
前記駐車代金、前記駐車時間、駐車日時、及び前記自車位置から割り出された
駐車場情報のうちの少なくとも１つを含むデ−タを前記記憶手段に記憶させる記
憶制御手段とを備えていることを特徴とする車両経費管理装置。
【請求項８】  前記自車位置検出手段が、自車位置デ−タと駐車場の駐車料
金情報が含まれている地図デ−タとに基づいて地図上における自車位置を検出す
るものであり、
前記駐車料金情報取得手段が、前記駐車料金情報から自車位置に基づいて判定
された駐車場の料金情報を取得するものであることを特徴とする請求項７記載の
車両経費管理装置。
【請求項９】  外部から駐車場の駐車料金情報を取得する外部駐車場情報取
得手段を備え、
前記駐車料金情報取得手段が、前記外部駐車場情報取得手段を介して取得され
た駐車料金情報から自車位置に基づいて判定された駐車場の料金情報を取得する
ものであることを特徴とする請求項７記載の車両経費管理装置。
【請求項１０】  前記駐車料金情報に駐車料金の割引情報が含まれている場
合に、該当する割引内容を入力させるための割引内容入力手段を備え、
前記駐車代金演算手段が、前記割引内容入力手段を介して入力された割引内容
を加味して駐車代金を演算するものであることを特徴とする請求項７〜９のいず
れかの項に記載の車両経費管理装置。
【請求項１１】  自車位置を検出する自車位置検出手段と、
該自車位置検出手段により自車位置が有料道路にあると判定された場合に、該
有料道路の料金情報を取得する通行料金情報取得手段と、
前記自車位置が有料道路に入ったと判定された地点と前記有料道路から出たと
判定された地点とから通行区間を判定する通行区間判定手段と、
該通行区間判定手段により判定された通行区間と、前記通行料金情報取得手段
を介して取得された前記有料道路の料金情報とに基づいて通行代金を演算する通
行代金演算手段と、
前記通行代金、前記通行区間、及び通行日時のうちの少なくとも１つを含むデ
−タを前記記憶手段に記憶させる記憶制御手段とを備えていることを特徴とする
車両経費管理装置。
【請求項１２】  前記自車位置検出手段が、自車位置デ−タと有料道路の通
行料金情報が含まれている地図デ−タとに基づいて地図上における自車位置を検
出するものであり、
前記通行料金情報取得手段が、前記通行料金情報から自車位置に基づいて判定
された有料道路の料金情報を取得するものであることを特徴とする請求項１１記
載の車両経費管理装置。
【請求項１３】  外部から有料道路の通行料金情報を取得する外部有料道路
情報取得手段を備え、
前記通行料金情報取得手段が、前記外部有料道路情報取得手段を介して取得さ
れた前記通行料金情報から自車位置に基づいて判定された有料道路の料金情報を
取得するものであることを特徴とする請求項１１記載の車両経費管理装置。
【請求項１４】  前記通行料金の割引内容を入力するための割引内容入力手
段を備え、
前記通行代金演算手段が、前記割引内容入力手段を介して入力された割引内容
を加味して通行代金を演算するものであることを特徴とする請求項１１〜１３の
いずれかの項に記載の車両経費管理装置。
【請求項１５】  車両に関わる少なくとも１つ以上の経費の管理に用いられ
る車両経費管理装置であって、
前記経費を演算するために必要なデ−タを取得するデ−タ取得手段と、
該デ−タ取得手段を介して取得された所定のデ−タに基づいて所定の経費を演
算する経費演算手段と、
該経費演算手段により演算された経費及び／又は該経費に関連するデ−タを各
経費の管理が行えるように記憶手段に記憶させていく記憶制御手段と、
前記記憶手段から所定の経費及び／又は該経費に関連するデ−タの読み出しを
指示するための読出指示手段と、
該読出指示手段を介して読み出された前記経費及び／又は該経費に関連するデ
−タを出力する出力制御手段とを備え、
該出力制御手段が、前記経費及び／又は該経費に関連するデ−タを所定の形式
に加工して画面に表示させる制御を行うものであることを特徴とする車両経費管
理装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】変更
【補正の内容】
【００２６】
【課題を解決するための手段及びその効果】
上記目的を達成するために本発明に係る車両経費管理装置（１）は、自車位置
を検出する自車位置検出手段と、車両の燃料残量を検出する燃料残量検出手段か
らの燃料残量デ−タを取得する燃料残量デ−タ取得手段と、少なくとも燃料単価
を含む燃料情報を入力させるための燃料情報入力手段と、前記燃料残量デ−タ取
得手段を介して提供される燃料残量デ−タに基づいて燃料補給量を算出する燃料
補給量算出手段と、該燃料補給量算出手段により算出された燃料補給量と前記燃
料情報入力手段を介して入力された燃料単価とに基づいて燃料代金を演算する燃
料代金演算手段と、前記燃料代金、前記燃料補給量、補給日時、及び前記自車位
置から割り出された補給場所情報のうちの少なくとも１つを含むデ−タを記憶手
段に記憶させる記憶制御手段とを備えていることを特徴としている。
【手続補正１４】
【補正対象書類名】明細書
【補正対象項目名】００２７
【補正方法】変更
【補正の内容】
【００２７】
上記車両経費管理装置（１）によれば、前記燃料量デ−タ取得手段を介して前
記燃料残量検出手段から燃料残量デ−タが取得されると、該燃料残量デ−タに基
づいて燃料補給量が算出され、該燃料補給量と前記燃料情報入力手段を介して入
力された燃料単価とに基づいて燃料代金が演算される。そして、前記燃料代金、
前記燃料補給量、補給日時、及び前記補給場所情報のうちの少なくとも１つを含
むデ−タが前記記憶手段に記憶されるようになっているので、使用者が手間をか
けなくても燃料代金に関する情報の管理を継続して行うことができる。
【手続補正１５】
【補正対象書類名】明細書
【補正対象項目名】００２８
【補正方法】変更
【補正の内容】
【００２８】
また本発明に係る車両経費管理装置（２）は、上記車両経費管理装置（１）に
おいて、車両の走行停止状態を検出する車両状態検出手段を備え、前記燃料残量
デ−タ取得手段が、前記自車位置検出手段により前記自車位置が給油所にあると
判定され、かつ前記車両状態検出手段により車両の停止状態が検出された場合と
、前記車両のイグニションキ−の所定の操作又は前記車両状態検出手段により車
両の走行状態が検出された場合とに前記燃料残量検出手段から燃料残量デ−タを
取得するものであることを特徴としている。
【手続補正１６】
【補正対象書類名】明細書
【補正対象項目名】００２９
【補正方法】変更
【補正の内容】
【００２９】
上記車両経費管理装置（２）によれば、前記自車位置検出手段により前記自車
位置が給油所にあると判定され、かつ前記車両状態検出手段により車両の停止状
態が検出された場合と、前記車両のイグニションキ−の所定の操作又は前記車両
状態検出手段により前記車両の走行状態を検知した場合とに燃料残量デ−タが取
得されるようになっているので、前記車両が給油所に停止している、すなわち燃
料補給される可能性が高いときに前記燃料残量デ−タの取得を自動的に行うこと
ができる。
【手続補正１７】
【補正対象書類名】明細書
【補正対象項目名】００３０
【補正方法】変更
【補正の内容】
【００３０】
また本発明に係る車両経費管理装置（３）は、上記車両経費管理装置（１）に
おいて、前記車両の燃料供給口カバ−の開閉を検出するカバ−開閉検出手段を備
え、前記燃料残量デ−タ取得手段が、少なくとも前記カバ−開閉検出手段による
前記燃料供給口カバ−の開検出時に前記燃料残量検出手段から燃料残量デ−タを
取得するものであることを特徴としている。
【手続補正１８】
【補正対象書類名】明細書
【補正対象項目名】００３１
【補正方法】変更
【補正の内容】
【００３１】
上記車両経費管理装置（３）によれば、少なくとも前記カバ−開閉検出手段に
よる前記燃料供給口カバ−の開検出時に前記燃料残量検出手段から燃料残量デ−
タを取得するようになっているので、前記燃料供給口カバ−の開時という極めて
燃料補給される可能性が高いときに前記燃料残量デ−タの取得を自動的に行うこ
とができ、燃料残量デ−タの取得タイミングの適正率を高めることができる。
【手続補正１９】
【補正対象書類名】明細書
【補正対象項目名】００３２
【補正方法】変更
【補正の内容】
【００３２】
また本発明に係る車両経費管理装置（４）は、上記車両経費管理装置（１）〜
（３）のいずれかにおいて、前記燃料情報入力手段を介して給油所毎の燃料情報
の入力が可能に構成され、前記燃料情報入力手段を介して入力された前記給油所
毎の燃料情報の中から、車両が位置する給油所の燃料単価を読み出す第１の燃料
情報読出手段を備え、前記燃料代金演算手段が、前記燃料補給量算出手段により
算出された前記燃料補給量と前記第１の燃料情報読出手段により読み出された前
記給油所の燃料単価とに基づいて燃料代金を演算するものであることを特徴とし
ている。
【手続補正２０】
【補正対象書類名】明細書
【補正対象項目名】００３３
【補正方法】変更
【補正の内容】
【００３３】
上記車両経費管理装置（４）によれば、前記燃料情報入力手段を介して給油所
毎に異なる燃料単価等の燃料情報を予め入力しておくことができる。また、車両
が位置する給油所の燃料単価を読み出して、燃料代金の演算が行われるので、給
油所毎の燃料単価の違いが考慮された、より精度の高い燃料代金の演算を行うこ
とができる。
【手続補正２１】
【補正対象書類名】明細書
【補正対象項目名】００３４
【補正方法】変更
【補正の内容】
【００３４】
また本発明に係る車両経費管理装置（５）は、上記車両経費管理装置（１）〜
（３）のいずれかにおいて、前記燃料情報入力手段を介して燃料補給後に燃料情
報の入力が可能に構成され、前記燃料代金演算手段が、前記燃料補給量算出手段
により算出された前記燃料補給量と前記燃料情報入力手段を介して燃料補給後に
入力された燃料単価とに基づいて燃料代金を演算するものであることを特徴とし
ている。
【手続補正２２】
【補正対象書類名】明細書
【補正対象項目名】００３５
【補正方法】変更
【補正の内容】
【００３５】
上記車両経費管理装置（５）によれば、前記燃料情報入力手段を介して燃料補
給後に燃料単価等の燃料情報の入力を行わせるようになっているので、燃料補給
後に知り得た正確な前記燃料情報を入力することができ、入力された前記燃料情
報に基づいて燃料代金の演算が行われるので、正確な燃料代金を演算することが
できる。
【手続補正２３】
【補正対象書類名】明細書
【補正対象項目名】００３６
【補正方法】変更
【補正の内容】
【００３６】
また本発明に係る車両経費管理装置（６）は、上記車両経費管理装置（１）〜
（３）のいずれかにおいて、外部から各給油所の燃料情報を取得する外部燃料情
報取得手段を備え、該外部燃料情報取得手段を介して取得された各給油所の燃料
情報の中から、車両が位置する給油所の燃料単価を読み出す第２の燃料情報読出
手段を備え、前記燃料代金演算手段が、前記燃料補給量算出手段により算出され
た前記燃料補給量と前記第２の燃料情報読出手段により読み出された前記給油所
の燃料単価とに基づいて燃料代金を演算するものであることを特徴としている。
【手続補正２４】
【補正対象書類名】明細書
【補正対象項目名】００３７
【補正方法】変更
【補正の内容】
【００３７】
上記車両経費管理装置（６）によれば、前記外部燃料情報取得手段を介して給
油所毎に異なる燃料単価等の最新の燃料情報を、例えば、通信ネットワ−ク上の
燃料情報提供サ−バ（全国又は所定地域毎の給油所の燃料単価、場所等の最新情
報が登録されている）等から取得しておくことができ、燃料代金の演算の際には
、車両が位置する給油所の燃料単価を前記燃料情報の中から読み出して、燃料代
金の演算を行うことができ、給油所毎の最新の燃料単価の違いが考慮された、よ
り正確な燃料代金の演算を行うことができる。
【手続補正２５】
【補正対象書類名】明細書
【補正対象項目名】００３８
【補正方法】変更
【補正の内容】
【００３８】
また本発明に係る車両経費管理装置（７）は、自車位置を検出する自車位置検
出手段と、該自車位置検出手段により自車位置が駐車場にあると判定された場合
に該駐車場の料金情報を取得する駐車料金情報取得手段と、車両が駐車場に入っ
たと判定された時間と該駐車場から出たと判定された時間とから駐車時間を算出
する駐車時間算出手段と、該駐車時間算出手段により算出された駐車時間と、前
記駐車料金情報取得手段を介して取得された前記駐車場の料金情報とに基づいて
駐車代金を演算する駐車代金演算手段と、前記駐車代金、前記駐車時間、駐車日
時、及び前記自車位置から割り出された駐車場情報のうちの少なくとも１つを含
むデ−タを前記記憶手段に記憶させる記憶制御手段とを備えていることを特徴と
している。
【手続補正２６】
【補正対象書類名】明細書
【補正対象項目名】００３９
【補正方法】変更
【補正の内容】
【００３９】
上記車両経費管理装置（７）によれば、自車位置が駐車場にあると判定された
場合に該駐車場に入った時間と出た時間とに基づいて駐車時間が算出され、該駐
車時間と前記駐車料金情報取得手段を介して取得された前記駐車場の料金情報と
に基づいて駐車代金が演算される。そして、前記駐車代金、前記駐車時間、駐車
日時、及び前記駐車場情報のうちの少なくとも１つを含むデ−タが前記記憶手段
に記憶されるので、使用者の手をわずらわすことなく駐車代金に関する情報の管
理を継続して行うことができる。
【手続補正２７】
【補正対象書類名】明細書
【補正対象項目名】００４０
【補正方法】変更
【補正の内容】
【００４０】
また本発明に係る車両経費管理装置（８）は、上記車両経費管理装置（７）に
おいて、前記自車位置検出手段が、自車位置デ−タと駐車場の駐車料金情報が含
まれている地図デ−タとに基づいて地図上における自車位置を検出するものであ
り、前記駐車料金情報取得手段が、前記駐車料金情報から自車位置に基づいて判
定された駐車場の料金情報を取得するものであることを特徴としている。
【手続補正２８】
【補正対象書類名】明細書
【補正対象項目名】００４１
【補正方法】変更
【補正の内容】
【００４１】
上記車両経費管理装置（８）によれば、前記駐車料金情報取得手段により前記
地図デ−タに含まれる前記駐車料金情報から車両が位置する駐車場の料金情報が
取得されるようになっているので、前記地図デ−タに含まれる前記駐車料金情報
に基づいた駐車代金の演算を行うことができる。
【手続補正２９】
【補正対象書類名】明細書
【補正対象項目名】００４２
【補正方法】変更
【補正の内容】
【００４２】
また本発明に係る車両経費管理装置（９）は、上記車両経費管理装置（７）に
おいて、外部から駐車場の駐車料金情報を取得する外部駐車場情報取得手段を備
え、前記駐車料金情報取得手段が、前記外部駐車場情報取得手段を介して取得さ
れた駐車料金情報から自車位置に基づいて判定された駐車場の料金情報を取得す
るものであることを特徴としている。
【手続補正３０】
【補正対象書類名】明細書
【補正対象項目名】００４３
【補正方法】変更
【補正の内容】
【００４３】
上記車両経費管理装置（９）によれば、前記外部駐車場情報取得手段を介して
駐車場の最新の駐車料金情報を、例えば、通信ネットワ−ク上の駐車料金情報サ
−バ（全国、又は所定地域毎の有料駐車場の最新の駐車料金情報等が登録されて
いる）や駐車場情報の提供を行っているＶＩＣＳセンタ−等から取得しておくこ
とができ、駐車代金の演算の際には、自車位置に基づいて判定された駐車場の料
金情報が前記駐車料金情報の中から取得されるようになっているので、最新の駐
車料金情報に基づいた正確な駐車代金の演算を行うことができる。
【手続補正３１】
【補正対象書類名】明細書
【補正対象項目名】００４４
【補正方法】変更
【補正の内容】
【００４４】
また本発明に係る車両経費管理装置（１０）は、上記車両経費管理装置（７）
〜（９）において、前記駐車料金情報に駐車料金の割引情報が含まれている場合
に、該当する割引内容を入力させるための割引内容入力手段を備え、前記駐車代
金演算手段が、前記割引内容入力手段を介して入力された割引内容を加味して駐
車代金を演算するものであることを特徴としている。
【手続補正３２】
【補正対象書類名】明細書
【補正対象項目名】００４５
【補正方法】変更
【補正の内容】
【００４５】
上記車両経費管理装置（１０）によれば、前記割引内容入力手段を介して駐車
料金の割引内容を入力させることができ、入力された割引内容を加味して駐車代
金が演算されるので、割引が適用された場合の正確な駐車代金を演算することが
できる。
【手続補正３３】
【補正対象書類名】明細書
【補正対象項目名】００４６
【補正方法】変更
【補正の内容】
【００４６】
また本発明に係る車両経費管理装置（１１）は、自車位置を検出する自車位置
検出手段と、該自車位置検出手段により自車位置が有料道路にあると判定された
場合に、該有料道路の料金情報を取得する通行料金情報取得手段と、前記自車位
置が有料道路に入ったと判定された地点と前記有料道路から出たと判定された地
点とから通行区間を判定する通行区間判定手段と、該通行区間判定手段により判
定された通行区間と、前記通行料金情報取得手段を介して取得された前記有料道
路の料金情報とに基づいて通行代金を演算する通行代金演算手段と、前記通行代
金、前記通行区間、及び通行日時のうちの少なくとも１つを含むデ−タを前記記
憶手段に記憶させる記憶制御手段とを備えていることを特徴としている。
【手続補正３４】
【補正対象書類名】明細書
【補正対象項目名】００４７
【補正方法】変更
【補正の内容】
【００４７】
上記車両経費管理装置（１１）によれば、自車位置が有料道路にあると判定さ
れた場合に、該有料道路に入ったと判定された地点と出たと判定された地点とに
基づいて走行区間が判定され、該走行区間と前記通行料金情報取得手段を介して
取得された前記有料道路の料金情報とに基づいて通行代金が演算され、前記通行
代金、通行日時、及び前記通行区間情報のうちの少なくとも１つを含むデ−タが
前記記憶手段に記憶されるようになっているので、使用者が手間をかけなくても
通行代金に関する情報の管理を継続して行うことができる。
【手続補正３５】
【補正対象書類名】明細書
【補正対象項目名】００４８
【補正方法】変更
【補正の内容】
【００４８】
また本発明に係る車両経費管理装置（１２）は、上記車両経費管理装置（１１
）において、前記自車位置検出手段が、自車位置デ−タと有料道路の通行料金情
報が含まれている地図デ−タとに基づいて地図上における自車位置を検出するも
のであり、前記通行料金情報取得手段が、前記通行料金情報から自車位置に基づ
いて判定された有料道路の料金情報を取得するものであることを特徴としている
。
【手続補正３６】
【補正対象書類名】明細書
【補正対象項目名】００４９
【補正方法】変更
【補正の内容】
【００４９】
上記車両経費管理装置（１２）によれば、前記通行料金情報取得手段により前
記地図デ−タに含まれる通行料金情報から自車位置に基づいて判定された有料道
路の料金情報が取得されるので、前記地図デ−タに含まれる通行料金情報に基づ
いて通行代金の演算を行うことができる。
【手続補正３７】
【補正対象書類名】明細書
【補正対象項目名】００５０
【補正方法】変更
【補正の内容】
【００５０】
また本発明に係る車両経費管理装置（１３）は、上記車両経費管理装置（１１
）において、外部から有料道路の通行料金情報を取得する外部有料道路情報取得
手段を備え、前記通行料金情報取得手段が、前記外部有料道路情報取得手段を介
して取得された前記通行料金情報から自車位置に基づいて判定された有料道路の
料金情報を取得するものであることを特徴としている。
【手続補正３８】
【補正対象書類名】明細書
【補正対象項目名】００５１
【補正方法】変更
【補正の内容】
【００５１】
上記車両経費管理装置（１３）によれば、前記外部有料道路情報取得手段によ
り有料道路の最新の通行料金情報を、例えば、通信ネットワ−ク上の通行料金情
報サ−バ（全国、又は所定地域毎の有料道路の料金情報等が登録されている）、
有料道路情報を提供しているＶＩＣＳセンタ−等から取得しておくことができ、
通行料金の演算の際には、自車位置に基づいて判定された有料道路の料金情報が
前記通行料金情報の中から取得されるようになっているので、最新の通行料金情
報に基づいた正確な通行代金の演算を行うことができる。
【手続補正３９】
【補正対象書類名】明細書
【補正対象項目名】００５２
【補正方法】変更
【補正の内容】
【００５２】
また本発明に係る車両経費管理装置（１４）は、上記車両経費管理装置（１１
）〜（１３）のいずれかにおいて、前記通行料金の割引内容を入力するための割
引内容入力手段を備え、前記通行代金演算手段が、前記割引内容入力手段を介し
て入力された割引内容を加味して通行代金を演算するものであることを特徴とし
ている。
【手続補正４０】
【補正対象書類名】明細書
【補正対象項目名】００５３
【補正方法】変更
【補正の内容】
【００５３】
上記車両経費管理装置（１４）によれば、前記割引内容入力手段を介して通行
料金の割引内容を入力させることができ、入力された割引内容を加味して通行代
金が演算されるようになっているので、割引内容が適用された場合の正確な通行
代金を演算することができる。
また本発明に係る車両経費管理装置（１５）は、車両に関わる少なくとも１つ
以上の経費の管理に用いられる車両経費管理装置であって、前記経費を演算する
ために必要なデ−タを取得するデ−タ取得手段と、該デ−タ取得手段を介して取
得された所定のデ−タに基づいて所定の経費を演算する経費演算手段と、該経費
演算手段により演算された経費及び／又は該経費に関連するデ−タを各経費の管
理が行えるように記憶手段に記憶させていく記憶制御手段と、前記記憶手段から
所定の経費及び／又は該経費に関連するデ−タの読み出しを指示するための読出
指示手段と、該読出指示手段を介して読み出された前記経費及び／又は該経費に
関連するデ−タを出力する出力制御手段とを備え、該出力制御手段が、前記経費
及び／又は該経費に関連するデ−タを所定の形式に加工して画面に表示させる制
御を行うものであることを特徴としている。
上記車両経費管理装置（１５）によれば、使用者が手間をかけなくても前記車
両に関わる経費の情報を継続して管理していくことができる。また、前記記憶制
御手段により、前記経費及び／又は該経費に関連するデ−タが前記各経費の管理
が行えるように前記記憶手段に記憶されるので、該記憶手段から前記各経費の情
報の読み出しが行いやすく、該情報に基づいた演算等の処理効率を高めることが
でき、デ−タ処理を考慮した効率の良いデ−タ管理を行うことができる。 
また、前記読出指示手段を操作することにより、確認したい経費に関する情報
を簡単に読み出すことができる。また、前記出力制御手段により、読み出された
前記経費に関する情報を、例えば、前記経費の内容を一覧できる形式等、その内
容を使用者が把握しやすい形式に加工して出力することができる。
また、前記経費及び／又は該経費に関連するデ−タが所定の形式に加工されて
画面に表示されるので、使用者は、前記画面を通じて前記経費及び／又は該経費
に関連するデ−タの内容を簡単に把握することができる。
例えば、前記出力制御手段が、前記経費及び／又は該経費に関連するデ−タの
内容を設定経費毎に切り換えて表示させるための経費選択表示手段を備えること
により、前記経費及び／又は該経費に関連するデ−タの内容を各経費毎に切り換
えて表示させることができ、使用者は知りたい経費の内容を簡単に確認すること
ができる。 
また、前記出力制御手段が、前記経費及び／又は該経費に関連するデ−タの内
容を所定の期間単位に切り換えて表示させるための期間単位選択表示手段を備え
ることにより、前記経費及び／又は該経費に関連するデ−タの内容を所定の期間
単位、例えば、週単位、月単位、あるいは年単位に切り換えて表示させることが
でき、使用者は、知りたい期間の内容を簡単に確認することができる。
また、前記出力制御手段が、前記経費及び／又は該経費に関連するデ−タの内
容をグラフィック加工して表示させるグラフィック表示手段を備えることにより
、前記経費及び／又は該経費に関連するデ−タの内容をグラフィック表示、例え
ば、折れ線グラフ、棒グラフ、円グラフ等に加工して表示させることができ、前
記内容を視覚的に把握しやすい形態で表示することができる。
また、前記出力制御手段が、前記経費及び／又は該経費に関連するデ−タを無
線で外部に送信する送信手段を備えることにより、前記経費及び／又は該経費に
関連するデ−タを無線で外部に送信することができる。例えば、前記経費及び／
又は該経費に関連するデ−タを自分宛ての電子メ−ルに添付して送信することに
より、自宅等のパソコンでの経費管理も簡単に行うことができるようになる。あ
るいは、前記経費及び／又は該経費に関連するデ−タを所定の情報収集センタ−
のサ−バへ送信することにより、送信した内容に応じたさまざまなサ−ビスの提
供を受けることが可能になり、前記経費に関する情報の利用用途を広げることが
できる。